【手続補正書】
【提出日】平成30年10月26日(2018.10.26)
【手続補正１】
【補正対象書類名】特許請求の範囲
【補正対象項目名】全文
【補正方法】変更
【補正の内容】
【特許請求の範囲】
【請求項１】
記録材が載置される載置部と、
前記載置部から給紙された記録材を搬送する搬送手段と、
前記記録材の特性値に基づいて前記搬送手段の劣化度合いを取得する取得手段と、
を備え、
前記取得手段は、前記載置部の記録材が異なる銘柄の記録材に変更された場合には、変更前の記録材の特性値に基づく前記搬送手段の劣化度合いと、変更後の記録材の特性値に基づく前記搬送手段の劣化度合いとから、前記搬送手段の劣化度合いを取得することを特徴とする画像形成装置。
【請求項２】
記録材の銘柄と前記記録材の特性値とが対応付けられて記憶されている記憶手段と、
表示部と、
前記記憶手段に記憶されている記録材の銘柄の一覧を前記表示部に表示させ、前記一覧の中から前記変更後の記録材を選択させる選択手段と、
前記選択手段による選択結果に応じて前記変更後の記録材の銘柄を特定する特定手段と、
を備えることを特徴とする請求項１に記載の画像形成装置。
【請求項３】
記録材の銘柄と前記記録材の特性値とが対応付けられて記憶されている記憶手段と、
搬送されている記録材の特性値を検知する検知手段と、
前記検知手段により検知した記録材の特性値と、前記記憶手段に記憶されている記録材の特性値とに基づいて、前記変更後の記録材の銘柄を特定する特定手段と、
を備えることを特徴とする請求項１に記載の画像形成装置。
【請求項４】
前記検知手段は、記録材の剛度を検知する手段、記録材の表面平滑度を検知する手段、及び記録材の厚みを検知する手段のうち、少なくとも一つであることを特徴とする請求項３に記載の画像形成装置。
【請求項５】
前記取得手段は、前記特定手段により特定された記録材の銘柄が前記記憶手段に記憶されている場合には、前記変更後の記録材の特性値を前記記憶手段から取得し、取得した記録材の特性値を用いて前記搬送手段の劣化度合いを取得することを特徴とする請求項２から請求項４のいずれか１項に記載の画像形成装置。
【請求項６】
前記取得手段は、前記特定手段により特定された記録材の銘柄が前記記憶手段に記憶されていない場合には、前記画像形成装置で使用できる記録材の中で、前記搬送手段の劣化度合いが最も大きくなる記録材の特性値を仮の特性値として用いて前記搬送手段の劣化度合いを取得することを特徴とする請求項２から請求項４のいずれか１項に記載の画像形成装置。
【請求項７】
前記記憶手段に記憶されていない記録材の銘柄と前記記憶されていない記録材の特性値とを登録する登録手段を備え、
前記取得手段は、前記特定手段により特定された記録材の銘柄が前記登録手段により前記記憶手段に登録された場合には、前記仮の特性値と前記登録手段により登録された特性値とに基づいて、前記搬送手段の劣化度合いを、再度取得することを特徴とする請求項６に記載の画像形成装置。
【請求項８】
複数の前記載置部を備え、
前記取得手段は、複数の前記載置部に載置された記録材の銘柄ごとに前記搬送手段の劣化度合いを求め、前記銘柄ごとの劣化度合いを合算して、前記搬送手段の劣化度合いを取得することを特徴とする請求項１から請求項７のいずれか１項に記載の画像形成装置。
【請求項９】
前記取得手段は、前記載置部に載置された記録材の剛度及び記録材に含まれる填料の配合量に基づいて前記搬送手段の劣化度合いを取得することを特徴とする請求項１から請求項８のいずれか１項に記載の画像形成装置。
【請求項１０】
前記取得手段は、前記搬送手段により記録材を搬送する際の１枚あたりの摩耗量及び前記搬送手段により記録材を搬送する際の１回転あたりの摩耗量の少なくともいずれか一方に、前記剛度及び前記填料の配合量に応じた係数を乗じて積算した摩耗量を、前記劣化度合いとして求めることを特徴とする請求項９に記載の画像形成装置。
【請求項１１】
前記取得手段は、前記剛度が小さいほど、且つ、前記填料の配合量が少ないほど、前記係数を小さい値に設定することを特徴とする請求項１０に記載の画像形成装置。
【請求項１２】
前記填料とは、炭酸カルシウム、シリカ、酸化チタン、タルク、クレーの少なくとも一つを含むことを特徴とする請求項９から請求項１１のいずれか１項に記載の画像形成装置。
【請求項１３】
前記搬送手段は、記録材に形成されたトナー像を記録材に定着する定着部であり、
前記定着部は、加熱フィルムと加圧ローラを含んでおり、前記加熱フィルムと前記加圧ローラによって形成される定着ニップ部において記録材を挟持しつつ搬送することを特徴とする請求項１から請求項１２のいずれか１項に記載の画像形成装置。
【請求項１４】
複数の画像形成装置と、前記複数の画像形成装置とネットワーク回線を介して接続された管理装置と、を備える管理システムであって、
前記複数の画像形成装置はそれぞれ、
記録材が載置される複数の載置部と、
前記載置部から給紙された記録材を搬送する搬送手段と、
前記記録材の特性値に基づいて前記搬送手段の劣化度合いを取得する取得手段と、
を有し、
前記管理装置は、
前記複数の画像形成装置の前記複数の載置部の各々に載置された記録材の特性値を、前記複数の載置部の各々に対して一括して設定することが可能な設定手段を有し、
前記取得手段は、前記載置部の記録材が異なる銘柄の記録材に変更された場合には、変更前の記録材の特性値に基づく前記搬送手段の劣化度合いと、変更後の記録材の特性値に基づく前記搬送手段の劣化度合いとから、前記搬送手段の劣化度合いを取得することを特徴とする管理システム。
【請求項１５】
前記取得手段は、前記載置部に載置された記録材の剛度及び記録材に含まれる填料の配合量に基づいて前記搬送手段の劣化度合いを取得することを特徴とする請求項１４に記載の管理システム。
【請求項１６】
前記取得手段は、前記搬送手段により記録材を搬送する際の１枚あたりの摩耗量及び前記搬送手段により記録材を搬送する際の１回転あたりの摩耗量の少なくともいずれか一方に、前記剛度及び前記填料の配合量に応じた係数を乗じて積算した摩耗量を、前記劣化度合いとして求めることを特徴とする請求項１５に記載の管理システム。
【請求項１７】
前記取得手段は、前記剛度が小さいほど、且つ、前記填料の配合量が少ないほど、前記係数を小さい値に設定することを特徴とする請求項１６に記載の管理システム。
【請求項１８】
前記填料とは、炭酸カルシウム、シリカ、酸化チタン、タルク、クレーの少なくとも一つを含むことを特徴とする請求項１５から請求項１７のいずれか１項に記載の管理システム。
【請求項１９】
前記搬送手段は、記録材に形成されたトナー像を記録材に定着する定着部であり、
前記定着部は、加熱フィルムと加圧ローラを含んでおり、前記加熱フィルムと前記加圧ローラによって形成される定着ニップ部において記録材を挟持しつつ搬送することを特徴とする請求項１４から請求項１８のいずれか１項に記載の管理システム。
【手続補正２】
【補正対象書類名】明細書
【補正対象項目名】０００９
【補正方法】変更
【補正の内容】
【０００９】
（１）記録材が載置される載置部と、前記載置部から給紙された記録材を搬送する搬送手段と、前記記録材の特性値に基づいて前記搬送手段の劣化度合いを取得する取得手段と、を備え、前記取得手段は、前記載置部の記録材が異なる銘柄の記録材に変更された場合には、変更前の記録材の特性値に基づく前記搬送手段の劣化度合いと、変更後の記録材の特性値に基づく前記搬送手段の劣化度合いとから、前記搬送手段の劣化度合いを取得することを特徴とする画像形成装置。
（２）複数の画像形成装置と、前記複数の画像形成装置とネットワーク回線を介して接続された管理装置と、を備える管理システムであって、前記複数の画像形成装置はそれぞれ、記録材が載置される複数の載置部と、前記載置部から給紙された記録材を搬送する搬送手段と、前記記録材の特性値に基づいて前記搬送手段の劣化度合いを取得する取得手段と、を有し、前記管理装置は、前記複数の画像形成装置の前記複数の載置部の各々に載置された記録材の特性値を、前記複数の載置部の各々に対して一括して設定することが可能な設定手段を有し、前記取得手段は、前記載置部の記録材が異なる銘柄の記録材に変更された場合には、変更前の記録材の特性値に基づく前記搬送手段の劣化度合いと、変更後の記録材の特性値に基づく前記搬送手段の劣化度合いとから、前記搬送手段の劣化度合いを取得することを特徴とする管理システム。
【手続補正３】
【補正対象書類名】明細書
【補正対象項目名】００１０
【補正方法】削除
【補正の内容】